(57)【特許請求の範囲】
【請求項１】
内容物が収容され、上部に、外周面に第１螺子山（１２１）が形成された結合部（１２０”）が備えられる容器（１１０”）と；
スポイトピストン（２３０”）の結合及び内容物の吸入ができるように上端と下端が開放され、上端に外周縁に沿って環状突出部（２１１”）が形成されるスポイトパイプ（２１０”）と；
前記スポイトパイプ（２１０”）の上部を囲んで結合され、中央には通孔（２２１’）が形成され、内周面には前記容器（１１０”）の前記第１螺子山（１２１）にねじ結合されるように第２螺子山（２２４）が形成されて、ねじ結合によって前記容器（１１０”）から着脱される螺子蓋（２２０”）と；
前記スポイトパイプ（２１０”）の内部に挿入され、上部は前記通孔（２２１’）を貫通して外部に突出して形成され、下端部にはプランジャーチップ（２３５’）が結合される前記スポイトピストン（２３０”）と；
前記スポイトピストン（２３０”）の上端に結合されて設置されるボタン（２４０”）と；を含み、
前記スポイトピストン（２３０”）は、前記スポイトパイプ（２１０”）の内周面に接する面積が最小化されるように、外周面両側が左右対称に陥没される陥没部（２３６）が形成されること、および
前記スポイトピストン（２３０”）は、前記プランジャーチップ（２３５’）が前記スポイトパイプ（２１０”）の外部に露出された状態で、前記容器（１１０”）に前記螺子蓋（２２０”）がねじ結合される時に、前記スポイトパイプ（２１０”）が下降し、前記プランジャーチップ（２３５’）が前記容器（１１０”）の底面によって加圧されて前記スポイトパイプ（２１０”）の内部に上昇するように構成されることを特徴とする、定量引出及び吐出が可能なスポイト（２００”）を備える化粧品容器（１００”）。
【請求項２】
前記螺子蓋（２２０”）を囲んで一体に形成され、中央部には前記スポイトピストン（２３０”）が貫通されるように貫通孔（２６１）が形成され、上部にはオーバー蓋（１４０”）を固定させる固定突起（２６２）が形成される仕上げ蓋（２６０）をさらに含むことを特徴とする請求項１に記載の定量引出及び吐出が可能なスポイト（２００”）を備える化粧品容器（１００”）。
【請求項３】
前記結合部（１２０”）の内周縁に挿入されて設置され、下端に向かって前記スポイトパイプ（２１０”）の外径に対応する内径を有するように細くなる弾性材質で構成されるワイパー（１５０”）をさらに含むことを特徴とする請求項１に記載の定量引出及び吐出が可能なスポイト（２００”）を備える化粧品容器（１００”）。
【発明の詳細な説明】
【技術分野】
【０００１】
本発明は定量引出可能なスポイト及びこれを備える化粧品容器に関し、上部末端に外周縁に沿って環状突出部２１１が形成されているスポイトパイプ２１０と、前記スポイトパイプ２１０の上部末端に結合され、中央に通孔２２１が形成されている蓋２２０と、下部末端に押圧ピン２３１が形成され、前記スポイトパイプ２１０の内部に挿入されて前記通孔２２１を通過するスポイトピストン２３０と、前記スポイトピストン２３０の上部末端に結合されて設置されるボタン２４０と、前記スポイトパイプ２１０の環状突出部２１１の下部に設置され、下部外周縁に沿って突出部２５１が形成されているパッキング２５０とを含むことを特徴とする定量引出及び吐出が可能なスポイト２００及びこれを備える化粧品容器に関する。
【背景技術】
【０００２】
一般に、アイクリームなど一度に正確に少量の定量を使うことが好ましい化粧品など液体状態の内容物を使う方法として、従来には使う度に使用する分だけカプセルなどの形態に個別包装する方式が使われた。しかし、このような個別包装方式は、使用者が内容物を使った後にも比較的多くの量がカプセル内部に残っているため、極めて非効率的であるという問題点があった。
【０００３】
このような個別包装方式の問題点を解決するために、内容物を容器に収容した後、普通のスポイトや注射器構造の引出手段を用いるか、プッシュポンプ（ｐｕｓｈ  ｐｕｍｐ）の構成を有する引出手段を用いて使う度に内容物を吸引して使用する構成が考案された。
【０００４】
しかし、一般的なスポイト構造の引出手段の場合、ゴムからなる押圧部を使用者が押す程度によって吸入されて引出される量が異なることから、使う度に正確に所定量を引出することが不可能であるか、または非常に難しいという短所があった。
【０００５】
また、注射器構造の引出手段を用いる場合は、１ｍｌ前後の極少量を使うことが大部分である点を考慮すると、注射器の直径を極めて小さくするか、注射器のピストンのストロークを極めて小さくするなどの構成上の問題があり、且つ、内容物を引出するために注射器のピストンを引いて内容物を吸入した後、再び注射器のピストンを押して内容物を引出しなければならないため使用が非常に煩雑であるという短所があった。
【０００６】
一方、プッシュポンプ（ｐｕｓｈ  ｐｕｍｐ）の構成を有する引出手段の場合、単純にボタンを押すだけで、押すたびに所定量の内容物を引出することができるという長所はあるが、ポンプの内部と外部を形成する構造体はもちろん、ボタン、吸入口、吐出口、スプリング及びバルブ構造体などを含んで構成されるため、その構成が比較的に複雑であるという短所がある。また、主に容器の上部に設置されるプッシュポンプ（ｐｕｓｈ  ｐｕｍｐ）の特性上、内容物を吸入するために吸入チューブを用いることが一般的であるが、この場合には吸入チューブの位置によって容器の中に内容物が残っている状態でも内容物の吸引が不可能になるという短所がある。
【発明の概要】
【発明が解決しようとする課題】
【０００７】
本発明は前述した従来発明の問題を解決して、別途の複雑な操作なしに非常に単純で且つ低廉な構造で化粧品などの液体状態の内容物を常に正確に所定量だけ吸入して移して使うことが可能な定量引出及び吐出が可能なスポイト及びこれを備える化粧品容器を提供することをその課題とする。
【０００８】
また、スポイトパイプの外部に付いている内容物はスポイトを取り出す過程でワイパーによって再び容器に回収されるので、さらに経済的に内容物を利用することが可能であり、且つ、スポイトパイプの外部に付いている内容物による汚染のおそれなしに使用可能な定量引出及び吐出が可能なスポイト及びこれを備える化粧品容器を提供することをその課題とする。
【課題を解決するための手段】
【０００９】
前記課題を達するために、本発明の定量引出可能なスポイト２００は、上部末端に外周縁に沿って環状突出部２１１が形成されているスポイトパイプ２１０と、前記スポイトパイプ２１０の上部末端に結合され、中央に通孔２２１が形成されている蓋２２０と、下部末端に押圧ピン２３１が形成され、前記スポイトパイプ２１０の内部に挿入されて前記通孔２２１を通過するスポイトピストン２３０と、前記スポイトピストン２３０の上部末端に結合されるボタン２４０と、前記スポイトパイプ２１０の環状突出部２１１の下部に設置され、下部外周縁に沿って突出部２５１が形成されているパッキング２５０とを含むことを特徴とする。
【００１０】
また、前記スポイトパイプ２１０の下部末端はその内径が小さくなる形状を有し、前記スポイトピストン２３０の上部には前記蓋２２０の下端に係止されることができる係止部２３４が形成され、前記押圧ピン２３１の下部末端には前記スポイトパイプ２１０の下部末端の小さくなった内径に対応する直径を有するピンヘッド２３２がさらに設置されていることを特徴とする。
【００１１】
一方、本発明の定量引出可能なスポイト２００を備える化粧品容器１００は、定量引出可能な前記スポイト２００を備え、内容物を収容する機能を有し、内部下端に前記押圧ピン２３１が接する部位に陥没部１１１が形成され、上部には結合部１２０が形成されている容器１１０と、前記結合部１２０に着脱可能に結合され、中央に前記スポイト２００が前記パッキング２５０によって密閉可能に挿入されて着脱されることができる通孔１３１が形成されている内蓋（ｉｎｎｅｒ  ｃａｐ）１３０とをさらに含むことを特徴とする。
【００１２】
また、前記結合部１２０の内周縁に挿入されて設置され、下端に向かって前記スポイトパイプ２１０の外径に対応する内径を有するように細くなる形状を有し、弾性を有する材質で構成されるワイパー１５０と、前記容器１１０の上部に前記スポイト２００を着脱可能に覆うことができるように設置されるオーバー蓋（ｏｖｅｒ  ｃａｐ）１４０とをさらに含むことを特徴とする。
【００１３】
一方、本発明の第２実施例による定量引出可能なスポイト２００’は、スポイトピストン２３０’の結合及び内容物が吸入できるように上端と下端が開放され、開放された上端にガスケット２１２が結合されるスポイトパイプ２１０’と；前記スポイトパイプ２１０’の上端に結合され、中央には通孔２２１が形成され、下部外周面の両側には結合突起２２２が形成される蓋２２０’と；下端部にプランジャーチップ２３５が形成され、前記スポイトパイプ２１０’の内部に挿入されて前記通孔２２１を通過するスポイトピストン２３０’と；前記スポイトピストン２３０’の上端に結合されるボタン２４０’と；を含むことを特徴とする。
【００１４】
また、前記スポイトパイプ２１０’の下端はその内径が小さくなる形状を有し、上部外周面の周囲には前記蓋２２０’に結合される突出部２１３が形成され、前記蓋２２０’の内周面には前記突出部２１３に対応される結合溝２２３が形成されることを特徴とする。
【００１５】
一方、本発明の第２実施例による定量引出可能なスポイト２００’を備える化粧品容器１００は、定量引出可能なスポイト２００’を備え、内容物を収容する機能を有し、内部下端に前記プランジャーチップ２３５が接する部位に陥没部１１１’が形成され、上部には結合部１２０’が形成されている容器１１０’と；前記結合部１２０’に着脱可能に結合され、中央に前記スポイト２００’が挿入されて着脱されることができる通孔１３１’が形成され、内周面に前記結合突起２２２が一側に回転して結合されることができるように前記結合突起２２２に対応される固定片１３２が形成される内蓋（ｉｎｎｅｒ  ｃａｐ）１３０’と；をさらに含むことを特徴とする。
【００１６】
また、前記結合部１２０’の内周縁に挿入され、下端に向かって前記スポイトパイプ２１０’の外径に対応する内径を有するように細くなる弾性材質で構成され、内周面には前記スポイトパイプ２１０’を支持する所定間隔離間された複数の支持突起１５１が形成され、下部一側に空気が移動可能な空気孔１５２が形成されるワイパー１５０’と；をさらに含むことを特徴とする。
【００１７】
一方、本発明の第３実施例による定量引出可能なスポイト２００”を備える化粧品容器１００”は、内容物が収容され、その上部に外周面に第１螺子山１２１が形成された結合部１２０”が備えられる容器１１０”と；スポイトピストン２３０”の結合及び内容物が吸入できるように上端と下端が開放され、上端に外周縁に沿って環状突出部２１１’が形成されるスポイトパイプ２１０”と；前記スポイトパイプ２１０”の上部を囲んで結合され、中央には通孔２２１’が形成され、内周面には前記容器１１０”の第１螺子山１２１にねじ結合されるように第２螺子山２２４が形成されて、ねじ結合によって前記容器１１０”から着脱される螺子蓋２２０”と；前記スポイトパイプ２１０”の内部に挿入され、その上部は前記通孔２２１’を貫通して外部に突出して形成され、その下端部にはプランジャーチップ２３５’が結合されるスポイトピストン２３０”と；前記スポイトピストン２３０”の上端に結合されるボタン２４０”と；を含むことを特徴とする。
【００１８】
また、前記スポイトピストン２３０”はスポイトパイプ２１０”の内周面と接する面積が最小化されるように、外周面両側が陥没される陥没部２３６が形成されることを特徴とする。
【００１９】
また、前記スポイトピストン２３０”は前記容器１１０”に螺子蓋２２０”をねじ結合する時にプランジャーチップ２３５’が容器１１０”の底面によって加圧されて上昇するように構成されることを特徴とする。
【００２０】
また、前記螺子蓋２２０”を囲んで一体に形成され、中央部には前記スポイトピストン２３０”が貫通されるように貫通孔２６１が形成され、その上部にはオーバー蓋１４０”を固定させる固定突起２６２が形成される仕上げ蓋２６０をさらに含むことを特徴とする。
【００２１】
また、前記結合部１２０”内周縁に挿入されて設置され、下端に向かって前記スポイトパイプ２１０”の外径に対応する内径を有するように細くなる弾性材質で構成されるワイパー１５０”をさらに含むことを特徴とする。
【発明の効果】
【００２２】
本発明によれば、別途の複雑な操作なしに非常に単純で且つ低廉な構造で化粧品などの液体状態の内容物を常に正確に所定量だけ吸入して移して使うことができるスポイト及びこれを備える化粧品容器を提供することをその課題とする。
【００２３】
また、スポイトパイプの外部に付いている内容物はスポイトを取り出す過程でワイパーによって再び容器に回収されるので、さらに経済的に内容物を利用することが可能であり、且つスポイトパイプの外部に付いている内容物による汚染の虞なしに使うことができるスポイトを備える化粧品容器を提供することをその課題とする。
【図面の簡単な説明】
【００２４】
【図１】本発明の第１実施例による定量引出可能なスポイトの構成断面図である。
【図２】本発明の第１実施例による定量引出可能なスポイトの作動模式図である。
【図３】本発明の第１実施例による定量引出可能なスポイトを備える化粧品容器の構成断面図である。
【図４】本発明の第１実施例による定量引出可能なスポイトを備える化粧品容器の分解斜視図である。
【図５】本発明の第２実施例による定量引出可能なスポイトの構成断面図である。
【図６】本発明の第２実施例による定量引出可能なスポイトの作動模式図である。
【図７】本発明の第２実施例による定量引出可能なスポイトを備える化粧品容器の構成断面図である。
【図８】本発明の第２実施例による定量引出可能なスポイトを備える化粧品容器の蓋と内蓋の結合状態を示す状態図である。
【図９】本発明の第２実施例による定量引出可能なスポイトを備える化粧品容器のワイパーの構成を示す斜視図である。
【図１０】本発明の第３実施例による定量引出可能なスポイトを備える化粧品容器の分解斜視図である。
【図１１】本発明の第３実施例による定量引出可能なスポイトの構成断面図である。
【図１２】本発明の第３実施例による定量引出可能なスポイトの作動模式図である。
【図１３】本発明の第３実施例による定量引出可能なスポイトを備える化粧品容器の構成断面図である。
【発明を実施するための形態】
【００２５】
以下では添付された図面を参照にして、本発明の実施例による定量引出可能なスポイト及びこれを備える化粧品容器を詳しく説明する。
【００２６】
なお、図面において、同じ構成要素または部品には同じ符号で示している。本発明を説明するにおいて、係わる公知機能若しくは構成に関する具体的な説明は本発明の要旨を明確にするために省略する。
【００２７】
まず、定量引出可能なスポイト２００について説明する。前記スポイト２００は、図１に示すように、スポイトパイプ２１０、蓋２２０、スポイトピストン２３０、ボタン２４０及びパッキング２５０を含む。
【００２８】
前記スポイトパイプ２１０は、図１に示すように、上部末端に外周縁に沿って環状突出部２１１が形成されている。一方、前記スポイトパイプ２１０の下部末端は内部に内容物を収容して移動させる場合、内容物が容易に漏出されることを防止するために、図１に示すように、下端に向かってその内径が小さくなる形状を有することが好ましい。
【００２９】
前記スポイトパイプ２１０の上部末端には、図１に示すように、中央に通孔２２１が形成されている蓋２２０が結合される。
【００３０】
一方、前記スポイトパイプ２１０の内部には、図１に示すように、下部末端に押圧ピン２３１が形成され、前記スポイトパイプ２１０の内部に挿入されて前記通孔２２１を通過するスポイトピストン２３０が設置される。この場合、前記スポイトピストン２３０の上部には、図１に示すように、前記蓋２２０の下端に係止されることができる係止部２３４が形成されているようにして前記スポイトピストン２３０が前記スポイトパイプ２１０の上部へ離脱されることを防止するようにすることが好ましい。また、前記押圧ピン２３１の下部末端には前記スポイトパイプ２１０の下部末端の小さくなった内径に対応する直径を有するピンヘッド２３２がさらに設置されるようにして、図２に示すように、内容物を吸入して移送する場合、前記ピンヘッド２３２が前記スポイトパイプ２１０の下部末端をある程度塞いで内容物が漏れないようにすることが好ましい。
【００３１】
前記スポイトピストン２３０の上部末端には、図１に示すように、ボタン２４０が結合される。一方、前記スポイトパイプ２１０の環状突出部２１１の下部には、図３に示すように、下部外周縁に沿って突出部２５１が形成されているパッキング２５０が設置されるようにすることが好ましい。
【００３２】
次に、本発明の第１実施例による定量引出可能なスポイト２００を備える化粧品容器１００について説明する。前記化粧品容器１００は、図３に示すように、概ね前記スポイト２００、容器１１０及び内蓋（ｉｎｎｅｒ  ｃａｐ）１３０を含む。
【００３３】
前記容器１１０は、図３に示すように、内容物を収容する機能を有し、内容物が少量残っている場合、円滑に吸入するために内容物が集められて溜められるように内部下端の前記押圧ピン２３１が接する部位に陥没部１１１が形成され、上部には結合部１２０が形成されている。
【００３４】
前記結合部１２０には、図３に示すように、中央に前記スポイト２００が前記パッキング２５０によって密閉可能に挿入されて着脱されることができる通孔１３１が形成されている内蓋（ｉｎｎｅｒ  ｃａｐ）１３０が着脱可能に結合される。前記内蓋１３０が前記結合部１２０に着脱可能に結合される方法としては非常に多様な実施例が可能であり、その一実施例として、図３に示すように、前記内蓋１３０の内周縁と前記着脱部１２０の外周縁にそれぞれ螺子山が形成されるようにして、ねじ結合するようにすることが可能である。
【００３５】
一方、前記スポイトパイプ２１０の外部に付いている内容物を、前記スポイト２００を取り出す過程で再び前記容器１１０に回収するために、前記結合部１２０の内周縁には、図３に示すように、下端に向かって前記スポイトパイプ２１０の外径に対応する内径を有するように細くなる形状を有し、弾性を有する材質で構成されるワイパー１５０が挿入されて設置されることが好ましい。また、前記容器１１０の上部には、図３に示すように、前記スポイト２００を着脱可能に覆うことができるように設置されるオーバー蓋（ｏｖｅｒ  ｃａｐ）１４０をさらに含むことが好ましい。
【００３６】
以下では、本発明の第１実施例による定量引出可能なスポイト及びこれを備える化粧品容器の作動について説明する。
【００３７】
まず、図２Ａに示すように、スポイト２００を内容物が入っている容器１１０に挿入した後、図２Ｂに示すように、環状突出部２１１を押して最後まで挿入すれば、スポイトピストン２３０下部末端の押圧ピン２３１が押されてスポイトピストン２３０が上昇して所定量の内容物が吸入される。
【００３８】
その後、図２Ｃに示すように、スポイト２００を取り出した後、使おうとする位置に移動させてボタン２４０を押せば所定量の内容物が引出される。
【００３９】
以下では、図５〜９を参照して本発明の第２実施例による定量引出可能なスポイト及びこれを備える化粧品容器を説明する。
【００４０】
まず、本発明の第２実施例による定量引出可能なスポイト２００’は、スポイトパイプ２１０’、蓋２２０’、スポイトピストン２３０’及びボタン２４０’を含む。
【００４１】
前記スポイトパイプ２１０’はスポイトピストン２３０’の結合及び内容物が吸入されることができるように、上端と下端が開放されるように形成され、開放された上端部には中孔が形成されたガスケット２１２が結合されることが好ましい。
【００４２】
前記スポイトパイプ２１０’の下端はその内径が小さくなる形状を有し、上部外周面の周囲には後述する蓋２２０’と結合できるように突出部２１３が形成される。
【００４３】
前記蓋２２０’は前記スポイトパイプ２１０’の上端に結合され、スポイトピストン２３０’が結合されるように中央には通孔２２１が形成され、下部外周面の両側には後述する内蓋１３０’の固定片１３２に結合される結合突起２２２が形成される。
【００４４】
前記結合突起２２２は一側に回転する時には固定片１３２に結合されて、蓋２００’を内蓋１３０’に固定させ、他側に回転する時には固定片１３２から離脱されてスポイト２００’が移動できるようにする。
【００４５】
一方、前記蓋２２０’の内周面には前記スポイトパイプ２１０’が固定できるように前記突出部２１３に対応される結合溝２２３が形成されることが好ましい。
【００４６】
前記スポイトピストン２３０’は、下端部にプランジャーチップ２３５が形成され、前記スポイトパイプ２１０’の内部に挿入されて前記通孔２２１を通過するもので、この場合、前記スポイトピストン２３０’の上部には前記蓋２２０’の下端に係止されることができる係止部２３４’が形成されているようにして、前記スポイトピストン２３０’が前記スポイトパイプ２１０’の上部へ離脱されることを防止するようにすることが好ましい。
【００４７】
前記スポイトピストン２３０’は前記スポイトパイプ２１０’の内部で上下垂直運動を通じて内容物を吸入して使用者が定量の内容物を使うことができるようにする。
【００４８】
一方、前記スポイトピストン２３０’の上部末端には、図５に示すように、使用者の操作を通じてスポイトピストン２３０’の上下運動が容易になるようにボタン２４０’が結合されることが好ましい。
【００４９】
次に、本発明の第２実施例による定量引出可能なスポイトを備える化粧品容器を説明する。
【００５０】
本発明の第２実施例による定量引出可能なスポイトを備える化粧品容器１００’は、容器１１０’、内蓋（ｉｎｎｅｒ  ｃａｐ）１３０’及びスポイト２００’を含む。
【００５１】
前記容器１１０’は内容物を収容する機能を有し、内容物が少量残っている場合、円滑に吸入するために内容物が集められて溜まることができるように、内部下端に前記プランジャーチップ２３５が接する部位に陥没部１１１’が形成され、上部には結合部１２０’が形成されている。
【００５２】
前記結合部１２０’には中央に前記スポイト２００’が挿入されて着脱されることができる通孔１３１’が形成されている内蓋（ｉｎｎｅｒ  ｃａｐ）１３０’が着脱可能に結合され、本発明において、前記内蓋１３０’の内周面には前記蓋２２０’の結合突起２２２が一側に回転して結合されることができるように、前記結合突起２２２に対応される固定片１３２が形成されることを特徴とし、蓋２２０’を一側に回転する時にはスポイト２００’が内蓋１３０’に固定され、蓋２２０’を他側に回転する時にはスポイト２００’が内蓋１３０’から離脱可能に構成される。
【００５３】
一方、前記スポイトパイプ２１０’の外部に付いている内容物を、前記スポイト２００’を取り出す過程で再び前記容器１１０’に回収するために、前記結合部１２０’の内周縁には下端に向かって前記スポイトパイプ２１０’の外径に対応する内径を有するように細くなる形状を有し、弾性を有する材質で構成されるワイパー１５０’が挿入されて設置されることが好ましい。
【００５４】
前記ワイパー１５０’の内周面には前記スポイトパイプ２１０’を支持する所定間隔離間された複数の支持突起１５１が形成され、下部一側には空気が移動可能な空気孔１５２が形成される。
【００５５】
また、前記容器１１０’の上部には前記スポイト２００’を着脱可能に覆うことができるように設置されるオーバー蓋（ｏｖｅｒ  ｃａｐ）１４０’が結合されることが好ましい。
【００５６】
以下では、図１０〜１３を参照して本発明の第３実施例による定量引出可能なスポイト及びこれを備える化粧品容器を説明する。
【００５７】
本発明の第３実施例による定量引出可能なスポイト２００”を備える化粧品容器１００”は、容器１１０”、スポイトパイプ２１０”、螺子蓋２２０”、スポイトピストン２３０”、ボタン２４０”を含む。
【００５８】
前記容器１１０”は内容物が収容されるもので、その上部には後述する螺子蓋２００”が結合されるように結合部１２０”が備えられ、前記結合部１２０”の外周面には螺子蓋２００”がねじ結合を通じて着脱可能になるように第１螺子山１２１が形成される。
【００５９】
また、前記結合部１２０”の内周縁にはスポイト２００”を容器１１０”から取り出す時に前記スポイトパイプ２１０”の外部に付いている内容物を容器１１０”に回収するために、下端に向かって前記スポイトパイプ２１０”の外径に対応する内径を有するように細くなる形状を有する弾性材質のワイパー１５０”が設置されることが好ましい。前記ワイパー１５０”の内周面には前記スポイトパイプ２１０”を支持する所定間隔離間された複数の支持突起が形成され、下部一側には空気が移動可能な空気孔が形成される。
【００６０】
一方、前記容器１１０”の内側底面は内容物が少量残っている場合にもスポイト２００”を通じる内容物の円滑な吸入が可能になるようにプランジャーチップ２３５’と当接する中央部が陥没形成されることが好ましい。
【００６１】
また、前記容器１１０”の上部にはスポイト２００”を囲んで着脱可能に設置されるオーバー蓋（ｏｖｅｒ  ｃａｐ）１４０”が結合されることが好ましい。
【００６２】
前記スポイトパイプ２１０”はスポイトピストン２３０”の結合及び内容物の吸入が可能になるように上端と下端が開放されて形成されたもので、前記ワイパー１５０”に安着されるように上端外周縁に沿って環状突出部２１１’が形成される。
【００６３】
前記スポイトパイプ２１０”の下端部は内部に内容物を入れて移動させる場合、内容物が容易に漏出されることを防止するために、下端に向かってその内径が小さくなる形状を有することが好ましい。
【００６４】
前記螺子蓋２２０”は前記スポイトパイプ２１０”の上部を囲んで結合されるもので、スポイトピストン２３０”が貫通されるように中央に通孔２２１’が形成される。
【００６５】
本発明において、前記螺子蓋２２０”は前記容器１１０”とねじ結合されて容器１１０”から着脱されるように構成されることを特徴とし、前記螺子蓋２２０”の内周面には前記容器１１０”の第１螺子山１２１にねじ結合される第２螺子山２２４が形成される。
【００６６】
本発明の第１実施例及び第２実施例では、使用者がスポイト２００、２００’を容器１１０、１１０’に結合する過程で環状突出部２１１及び蓋２２０’を下方に押して加圧する時にスポイトピストン２３０、２３０’の上部末端に結合されたボタン２４０、２４０’が上昇し、環状突出部２１１及び蓋２２０’を押す過程で使用者の手によってボタン２４０、２４０’との干渉が発生する虞があることから、容器本体１１０にスポイト２００を結合する時に使用者がこれを認知して環状突出部２１１及び蓋２２０’の加圧位置にいつも気を使わなければならないため、使用者にとって非常に不便であった。
【００６７】
そこで、本発明の第３実施例では、スポイト２００”が容器１１０”にねじ結合によって着脱されるように螺子蓋２２０”を形成することで、螺子蓋２２０”の側面を把持した状態で容器１１０”の結合部１２０”にねじ結合させる簡単な動作によってボタン２４０”が上昇するようになるので、螺子蓋２２０”を容器１１０”に結合する過程で使用者の手によるボタン２４０”の干渉が発生しないので、使用者に便宜を提供することができる。
【００６８】
一方、前記螺子蓋２２０”の外側には螺子蓋２２０”を囲んで一体に形成され、中央部には前記スポイトピストン２３０”が貫通されるように貫通孔２６１が形成され、その上部にはオーバー蓋１４０”を固定させる固定突起２６２が形成される仕上げ蓋２６０が備えられることが好ましい。
【００６９】
前記スポイトピストン２３０”は前記スポイトパイプ２１０”の内部に挿入されて上下垂直運動を通じて内容物を吸入して使用者が定量の内容物を使うことができるようにするもので、その上部はボタン２４０”が結合されるように前記通孔２２１’を貫通して外部に突出して形成され、その下端部にはスポイトパイプ２１０”の内周面に密着されてスポイトパイプ２１０”内部の圧力を変化させて内容物の吸入または排出を可能にするプランジャーチップ２３５’が結合される。
【００７０】
前記スポイトピストン２３０”は前記容器１１０”に螺子蓋２２０”をねじ結合の時にプランジャーチップ２３５が容器１１０”の底面によって加圧されて上昇するように構成され、前記スポイトピストン２３０”の上部には前記螺子蓋２２０”の内側上端に係止されることができる係止部２３４”が形成されているようにして、スポイトピストン２３０”が前記スポイトパイプ２１０”の上部から離脱されることを防止するようにすることが好ましい。
【００７１】
一方、本発明において、前記スポイトピストン２３０”はスポイトパイプ２１０”の内周面と接する面積が最小化されるように外周面両側が陥没される陥没部２３６が形成されることを特徴とし、スポイトパイプ２１０”の内部に吸入された内容物がスポイトパイプ２１０”の内壁に沿って上部に移動する場合、スポイトピストン２３０”の昇降作動の時内容物の粘性などによる摩擦が発生するようになるが、前記陥没部２３６によって、スポイトパイプ２１０”の内周面と接する面積を最小化させることによって、スポイトピストン２３０”の昇降作動の時に内容物の粘性などによる摩擦を減少させることができ、これによって、スポイトピストン２３０”の円滑な作動が可能になる。
【００７２】
一方、前記スポイトピストン２３０”の上部末端には使用者の操作を通じるスポイトピストン２３０”の上下運動が容易になるようにボタン２４０”が結合されることが好ましい。
【００７３】
以下では、図１２を参照して、本発明の第３実施例による定量引出可能なスポイトを備える化粧品容器の作動について説明する。
【００７４】
図１２によれば、本発明の第３実施例による定量引出可能なスポイトを備える化粧品容器は、スポイト２００”の内容物を使ってプランジャーチップ２３５’がスポイトパイプ２１０”の外部に露出された状態でスポイト２００”を容器１１０”に結合させると、螺子蓋２２０”の一側回転によるねじ結合によってスポイト２００”が漸次に下降し、スポイト２００”の下降によってスポイトピストン２３０”が一緒に下降してスポイトピストン２３０”の下部に結合されたプランジャーチップ２３５’が容器１１０”の底面によって加圧されてスポイトピストン２３０”を上昇させるようになる。これによって、スポイトパイプ２１０”の内部に所定量の内容物が吸入される。
【００７５】
前述したように、スポイトパイプ２１０”の内部に所定量の内容物が吸入されると、螺子蓋２２０”を他側に回転して結合部１２０”とのねじ結合を解体させてスポイト２００”を容器１１０”から離脱させた後、使おうとする位置でボタン２４０”を押せば所定量の内容物が引出される。
【００７６】
以上、図面と明細書に最適な実施例を開示した。ここで特定用語を用いたが、これらはただ本発明を説明するための目的で使われたもので、意味の限定や特許請求の範囲に記載された本発明の範囲を制限するために使われたものではない。その故、本技術分野において通常の知識を有する者であれば多様な変形及び均等な他の実施例が可能であるということを理解すべきである。従って、本発明の技術的保護範囲は添付された特許請求の範囲の技術的思想によって定められるべきである。
【符号の説明】
【００７７】
１００、１００’、１００”：化粧品容器
１１０、１１０’、１１０”：容器
１１１、１１１’：陥没部
１２０、１２０’、１２０”：結合部
１２１、２２４：第１螺子山及び第２螺子山
１３０、１３０’：内蓋（ｉｎｎｅｒ  ｃａｐ）          
１３１、１３１’：通孔
１３２：固定片            
１４０、１４０’、１４０”：オーバー蓋（ｏｖｅｒ  ｃａｐ）
１５０、１５０’、１５０”：ワイパー
１５１：支持突起
１５２：空気孔
２００、２００’、２００”：スポイト
２１０、２１０’、２１０”：スポイトパイプ        
２１１、２１１’：環状突出部
２１２：ガスケット        
２１３：突出部
２２０、２２０’：蓋    
２２０”：螺子蓋
２２１、２２１’：通孔    
２２２：結合突起
２２３：結合溝            
２３０、２３０’、２３０”：スポイトピストン
２３１：押圧ピン          
２３２：ピンヘッド
２３４、２３４’、２３４”：係止部
２３５、２３５’：プランジャーチップ
２３６：陥没部            
２４０、２４０’、２４０”：ボタン
２５０：パッキング        
２６０：仕上げ蓋
２６１：貫通孔            
２６２：固定突起
【図１】
0005938828.tif 000002
【図２】
0005938828.tif 000003
【図３】
0005938828.tif 000004
【図４】
0005938828.tif 000005
【図５】
0005938828.tif 000006
【図６】
0005938828.tif 000007
【図７】
0005938828.tif 000008
【図８】
0005938828.tif 000009
【図９】
0005938828.tif 000010
【図１０】
0005938828.tif 000011
【図１１】
0005938828.tif 000012
【図１２】
0005938828.tif 000013
【図１３】
0005938828.tif 000014